(57)【特許請求の範囲】
【請求項１】
水分を含む粉体を圧送ピストンポンプで処理設備まで輸送するための水分を含む粉体の輸送方法において、前記圧送ピストンポンプの出口から前記水分を含む粉体の流れ方向に１乃至５メートル離れた位置の輸送配管の内壁に注水しながら前記水分を含む粉体を輸送することを特徴とする水分を含む粉体の輸送方法であって、
前記注水の後、前記輸送配管の途中で、配管径を元の径の７０〜８０％に縮小し、縮小した配管と元の配管とを、前記元の配管径の１０倍の長さを有するテーパー管で接続し、
前記輸送配管先端部から排出された前記粉体に、２０乃至４０メートル／秒の空気噴流を当てること
を特徴とする水分を含む粉体の輸送方法。
【請求項２】
注水は、前記圧送ピストンポンプの出口から前記処理設備までの輸送配管の複数箇所に行われる請求項１記載の水分を含む粉体の輸送方法。
【請求項３】
前記水分を含む粉体は、焼却灰等を埋め立てたものを掘り起こした粉体であることを特徴とする請求項１または２記載の水分を含む粉体の輸送方法。
【請求項４】
前記処理設備は、セメントキルンの窯尻部である請求項１から３のいずれか１項に記載の水分を含む粉体の輸送方法。
【請求項５】
圧送ピストンポンプと、ポンプの出口に設けられた開閉弁と、開閉弁と水分を含む粉体の処理設備とを接続する輸送配管とを備えた水分を含む粉体の輸送システムであって、ポンプの出口から前記水分を含む粉体の流れ方向に１乃至５メートル離れた位置の輸送配管に開口部が設けられ、開口部と注水配管が接続されてなる水分を含む粉体の輸送システムであって、
前記輸送配管の径は、前記開口部よりも下流側において、配管径を元の配管径の７０〜８０％に縮小され、縮小した配管と元の配管とを、前記元の配管径の１０倍の長さを有するテーパー管で接続し、
前記輸送配管先端部に、この輸送配管から排出される前記粉体に対し、２０乃至４０メートル／秒の空気噴流を当てる空気噴流手段を設けたこと
を特徴とする粉体の輸送システム。
【発明の詳細な説明】
【技術分野】
【０００１】
本発明は、埋め立て処分した都市ゴミ焼却灰を掘り起こした掘り起こし土などの水分を含む粉体の輸送方法および輸送システムに関する。
【背景技術】
【０００２】
都市ゴミ焼却灰をはじめとする各種の焼却灰は、一般的に処分場に埋立て処分されているが、最近、処分場の容量が逼迫し、さらに新設用地の確保の困難性から、この埋立地を掘り起こして、埋め立てた焼却灰（以降、埋立灰と記載）をセメント原料として再資源化し、処分場の延命化を図ることが検討されている。
【０００３】
一方、埋立灰には有害なダイオキシンが含まれる事もあるため、埋立灰が飛散等しないように、密閉した輸送方法で輸送を行う必要がある。また、埋立灰は屋外で雨などにさらされており、１５乃至３５重量％の水分を含んでいるため、焼却場から直接排出された灰と違って、輸送用空気の気流には同伴し難いため空気輸送は難しい。
【０００４】
そのため、埋立灰の輸送機としては、一般的には密閉型のチェンコンベアや垂直ベルトコンベアなどの輸送機を使用することが多い。しかし、これらの輸送機は配置に制限や設置には広い空間が必要であった。また、埋立灰は焼却灰以外に石や非鉄金属などの異物が含まれており、機械的な噛込みやベルトの損傷などのトラブルが懸念されるなどの問題点があった。
【０００５】
また、配管にて空気輸送すると、図３右図に配管の断面図を示すように、輸送配管７と輸送管内の埋立灰２１との付着が発生し管内が閉塞などのトラブルが発生して、輸送が困難となっていた。輸送距離が２０乃至５０メートル以上の遠方であれば、配管が閉塞する問題が特に顕著であった。これは、埋立灰が一般の焼却灰よりも水分が多く付着性が高いことが理由と考えられる。
【０００６】
特許文献1には、水を多量に混入して、即ち、スラリー化して長距離を輸送するものが開示されている。しかし、水を多量に使用すると水分の蒸発、加熱に要する熱損失が増大する。また、運用上、輸送配管７の閉塞防止の為、配管への残留物を除去する為の洗浄が頻発するなどの課題がある。
以上のとおり、水分を含む粉体を適切に処理するためには、設置上、輸送上、運転上の課題が多く存在していた。
【０００７】
【特許文献１】特開２００４−９７８６５号公報
【発明の開示】
【発明が解決しようとする課題】
【０００８】
本発明は、水分を含む粉体を輸送する際に、粉塵発生などの環境問題を防止できて、また、輸送配管内における閉塞等のトラブルがない密閉式輸送手段を提供することを目的とする。
【課題を解決するための手段】
【０００９】
本発明者らは、注水機構を設置することで水分を含む粉体と配管の内壁との摩擦抵抗を低減させ、圧送ピストンポンプと配管の組合せを鋭意検討し、前記課題を解決に至った。
【００１０】
すなわち本発明は、水分を含む粉体を圧送ピストンポンプで処理設備まで輸送するための水分を含む粉体の輸送方法において、前記圧送ピストンポンプの出口から前記水分を含む粉体の流れ方向に１乃至５メートル離れた位置の輸送配管の内壁に注水しながら前記水分を含む粉体を輸送することを特徴とする水分を含む粉体の輸送方法であって、前記注水の後、前記輸送配管の途中で、配管径を元の径の７０〜８０％に縮小し、縮小した配管と元の配管とを、前記元の配管径の１０倍の長さを有するテーパー管で接続し、前記輸送配管先端部から排出された前記粉体に、２０乃至４０メートル／秒の空気噴流を当てることを特徴とする水分を含む粉体の輸送方法である。
前記注水は、前記輸送配管の複数箇所から行われることが好ましい。
また、注水は、前記圧送ピストンポンプの出口から前記処理設備までの輸送配管の複数箇所に行われることが好ましい。
さらに、前記処理設備は、セメントキルンの窯尻部であることが好ましい。
また、別の発明としては、圧送ピストンポンプと、ポンプの出口に設けられた開閉弁と、開閉弁と水分を含む粉体の処理設備とを接続する輸送配管とを備えた水分を含む粉体の輸送システムであって、ポンプの出口から前記水分を含む粉体の流れ方向に１乃至５メートル離れた位置の輸送配管に開口部が設けられ、開口部と注水配管が接続されてなる水分を含む粉体の輸送システムであって、前記輸送配管の径は、前記開口部よりも下流側において、配管径を元の配管径の７０〜８０％に縮小され、縮小した配管と元の配管とを、前記元の配管径の１０倍の長さを有するテーパー管で接続し、前記輸送配管先端部に、この輸送配管から排出される前記粉体に対し、２０乃至４０メートル／秒の空気噴流を当てる空気噴流手段を設けたことを特徴とする粉体の輸送システム。
【発明の効果】
【００１１】
本発明によれば、水分を含む粉体である焼却灰を主体とした埋立灰について、長距離輸送であっても、注入する水量の最低限の使用で、密閉輸送が容易で閉塞とのトラブルがなく安定して輸送できるようになった。また、粉塵発生等による広範囲の環境問題を起こすことのない完全に密閉化して輸送することができた。また、従来で多く採用されていた密閉型コンベアの設置に較べて、配管方式においては、狭い空間に自由自在に設置することができるようになった。
【発明を実施するための最良の形態】
【００１２】
以下に、水分を含む粉体として都市ゴミ焼却灰の埋立灰、埋立灰を処理する処理設備としてセメント製造装置を例に本発明を説明する。
都市ゴミ焼却灰を主とする最終処分場の埋立て物は、一部の物についてセメントクリンカの原燃料として再資源化が可能である。この埋立て物を掘り起こし、現地にて、篩い装置によってサイズを４０ミリメートル以下に篩い、セメントクリンカの原燃料に利用可能なサイズの粉粒体とする。その際に、選別機などで樹脂の燃えガラ、石、コンクリート、非磁性金属などの異物をまた磁選機によって鉄などの磁性金属を可能な限り除去する。このサイズが４０ミリメートル以下に篩われた埋立灰を、ダンプトラックなどの車両に積載し、セメント工場へ搬入する。
【００１３】
図４に埋立灰を受入れてセメント製造装置で処理する概略図を示す。受入れタンク２２には掻き出し装置２５が設置されている。この掻き出し装置２５は、クサビ形の断面をもつフレームが水平方向に往復運動をする装置で、埋立灰をタンク２２の中央へ掻き寄せ、また受入れタンク２２の下部の埋立灰を流動化させることができる。これにより、流動性の悪い埋立灰を受入れタンク２２の底から抜出しスクリュフィーダ２３へ安定して供給することができる。
次に、図２に埋立灰のセメント焼成装置での処理の概略フローの一例を示す。搬入した埋立灰はホッパー２へ受入れ、圧送ピストンポンプ３によって押し出し、輸送配管７、円筒管１６を経て、セメントキルン８の窯尻部９の高温域へ投入し処理する。
【００１４】
図１に示すように、セメント工場の受入れタンクなどの貯蔵設備に受入れられた埋立灰１は、含有水分が１５乃至３５重量％であって、ホッパー２から、圧送ピストンポンプ３のストロークにて吸引されると同時に、ピストン駆動器３ｂの間欠的な動作によってピストンロッド３ａがピストンシリンダ３ｃに押し込められ、埋立灰１は密閉式の輸送配管７内に押込まれる。この直後、輸送配管７の入口のゲート４がゲート駆動器４ａによって閉められる。圧送ピストンポンプ３は、埋立灰の圧送量が調整できるようにピストンシリンダ３ｃの速度が無段階に制御可能となるものが好ましい。
【００１５】
次に、ピストンロッド３ａは、始動位置に戻り、次の押込みの準備をする。このストロークの間に、ホッパー２からの埋立灰１は、ピストンシリンダ３ｃの空洞部に落下し、充填される。この充填が終ったらゲート４がゲート駆動器４ａの駆動によって開き、その後、ピストンロッド３ａが再び、輸送配管７に向けて押込みを行う。ゲート４により、ピストンロッド３ａがピストン駆動器３ｂの側に引かれて、ピストンシリンダ３ｃ内に埋立灰を吸引する時に、輸送配管７から埋立灰を逆流しないようになっている。このピストンロッド３ａのストロークの往復動作を繰り返すことによって、埋立灰は輸送配管７内を輸送される。なお、ピストンポンプの圧送圧力は、４乃至５メガパスカル(ＭＰａ)である。
【００１６】
ゲート４から輸送配管７の流れ方向に1乃至６メートル下流に位置に、好ましくは１乃至５メートル下流の位置に設置された注水器６によって、圧送ピストンポンプ３から吐出される埋立灰の重量の２乃至８重量％の水５が輸送配管７の内壁周辺に注入される。
図５に一例を示すように、注水器６の１台当たりの注水口は、配管の周囲に等間隔で４個設置しているが、３乃至６個設置してもよい。輸送配管７に注水される水５は、図３左図に該配管断面を示すように、該配管の内壁の周囲近くに水膜２０を偏在滞留し、輸送配管７と輸送管内の埋立灰２１との摩擦抵抗を低減させる効果を高めることができる。注水位置は、輸送配管７の直管部分に設置することが好ましい。輸送配管７の屈曲部で注水すると、注水が管周で均一にならず水膜２０の形成効果が低減すると推定されるからである。
一般に、圧送ピストンポンプ３は、地下か地表面の１階に設置する設備配置の場合が多い。このため、高層階のセメント製造装置への長距離輸送を行う場合には、必ず配管の屈曲部を圧送ピストンポンプ３の近くに設置することが多く、屈曲部での内部摩擦抵抗は前記のように非常に大きくなるので、圧送ピストンポンプ３の出口近くに注水器６を設置することが好ましい。
【００１７】
また、注水位置は、輸送配管７の長さによって前記圧送ピストンポンプ３の出口から前記処理処理までの輸送配管の複数箇所に行われることが好ましい。これにより、前記圧送ピストンポンプ３の出口から前記処理処理までの輸送配管における水膜の形成を維持することができる。例えば、５０乃至１５０メートルごとに、好ましくは５０乃至１００メートルごとに注水器６を設置する。直管部での注水による効果的な摩擦低減効果により、埋立灰をセメントキルン８の窯尻部９までゆっくりと外部から密閉して輸送させることができる。注水は、図５に示すように輸送配管の円周方向の複数箇所から行うことができる。
この時の注水量は、埋立灰輸送量の２乃至５重量％程度が好ましい。２重量％未満であれば、水膜の形成が十分に行われず、輸送配管内の閉塞が頻繁に起こるおそれがあり、５重量％を越えると、埋立灰の輸送能力の減少が顕著になってゆくおそれがあるからである。なお、配管の屈曲部はできるだけ屈曲半径を大きくする方がよい。
【００１８】
また、実験において、圧送される埋立灰は輸送配管７の中で、圧送ピストンポンプ３の高圧力によって埋立灰内部の水分が搾り出され、埋立灰含有の水分により水膜２０を形成することが確認できた。水分の搾り出しの為、埋立灰の体積が減少するためこれに合わせて配管径を小さくすることが好ましい。輸送配管７の配管径は元の配管径の８０乃至７０％程度直径を小さくするのが好ましい。なお、配管径の違う部分は配管径の１０倍程度の長さを有するテーパー管で接続する。この理由は、急激に配管径を小さくすると、その部分で埋立灰が閉塞しやすくなるからである。
【００１９】
また、配管内の水の搾り出しはゆっくりと起こる為、配管径を小さくする位置は、配管の水平換算距離が１００メートル以上の長距離では、輸送配管７の中間部付近が好ましい。さらに、配管径の小径化によって、高圧配管の設置工事費用を低減することもできる。
【００２０】
図１と図２に示すように、埋立灰１は、圧送ピストンポンプ３によって専用の輸送配管７でセメントキルン８の窯尻部９へ移送される。この移送中に配管内では、埋立灰１の周囲に水５を包囲しながら、最終的には、遠方の窯尻部９に取り付けた専用の円筒管１６から噴出され、セメントキルン８に投入される。セメントキルン８の窯尻部９への円筒管１６の投入角度は水平方向が好ましいが、水平からの下向き方向角度が０乃至７０度の範囲であってもよい。また、埋立灰の投入時の分散性を向上させるために円筒管１６の先端部に出てきた埋立灰に２０乃至４０メートル／秒の空気噴流が当たるようにエアーノズル２６を設置することがより好ましい。エアーノズル２６は、先端風速が得られる断面積を有した管で良く、流量が少ない場合はチップなどを取り付けて調整しても良い。また、埋立灰の分散状況に応じてエアーノズル２６を複数本（例えば１乃至４本）設定しても良い。
【００２１】
キルンバーナー１５と仮焼炉バーナー１４の燃焼による燃焼排ガスは、排ガスファン１７から排出されるので、窯尻部９の雰囲気温度は、一般には温度が１０００乃至１２００℃である。そのため、窯尻部９に投入された埋立灰に含有する水分もすぐに蒸発する。セメントキルン８内に投入された埋立灰は、セメント原料入口１１から投入されたセメント原料と窯尻部９で一緒になって、キルンバーナー１５の燃焼熱によって徐々に昇温しながら焼成されて、セメントキルン８の出口ではセメントクリンカ１３の一部となる。
【００２２】
埋立灰の投入位置については、基本的には温度が８００℃以上の雰囲気領域であればよい。温度が８００℃未満の雰囲気の温度領域へ投入すると、投入物中に可燃物が含まれる場合は、投入物中の可燃物の燃焼速度が遅くなり、燃え切らないうちに排気ファン１７へ排出され、燃料資源を有効に利用せずに無駄にしてしまう。また、埋立灰に含むダイオキシンを主とする有害物は、雰囲気温度が８００℃以上で完全に分解してしまうので、環境衛生上の問題は一切ない処分が可能である。
【００２３】
物理的には埋立灰を投入した後、比較的大きなサイズの埋立灰が炉内を落下して窯尻部９に着地するような炉の構造であれば、最下段サイクロンシュート１２、またはライジングダクト１８、または仮焼炉バーナー１４が燃焼する仮焼炉１９に投入してもよい。好ましくは、セメントキルン８の窯尻部９へ直接、投入した方がよい。このようにして、セメントキルン８に投入された埋立灰は、セメントクリンカ製造の原燃料として有効利用される。
【００２４】
上記においては、水分を含む粉体として都市ゴミ焼却灰の埋立灰を例にして説明したが、本発明による方法は、建設残土や汚染土壌、他の汚泥などであってもよく、ダイオキシンなどの有害物が含有していても、密閉輸送方法とセメントキルンでの高温処理によって、安全で無害に処理することができる。
【実施例１】
【００２５】
［実施例１］
最長部のサイズが１０ミリメートル以下の都市ゴミ焼却灰を、２５乃至３５重量％の湿分に調整したものを使用した。テスト装置は、図１に示すように、輸送配管７の直径がφ２００ミリメートルで輸送距離が６メートルの鋼管を水平方向に設置して行った。輸送用のポンプはピストンポンプ式で吐出圧力が４メガパスカル（ＭＰａ）、シリンダ径がφ１５０ミリメートル、ストロークが５００ミリメートルのものを使用した。都市ゴミ焼却灰の供給量は、１トン／時間とした。
ゲート４の位置から輸送配管７に沿って距離が２３００ミリメートルの位置に図５で示す注水器６を取り付け、注水を実施した。注水量はトータルで３６キログラム／時間とした。ポンプ出口部の圧力を測定し、距離が６メートルの輸送配管７の圧力損失を測定した。その結果を表１に示す。
【００２６】
［比較例１］
注水を行わなかったこと以外は、実施例１と同じ装置、条件で輸送テストを実施した。結果を表１に示す。
この結果、実施例１に圧力損失は、比較例１のそれの１／４となり、長距離の輸送が可能であることが確認できた。
【００２７】
【表１】
0005082931.tif 000002
【００２８】
［実施例２］
都市ゴミ焼却灰の代わりに、最長部のサイズが４０ミリメートル以下の建設廃土を、２５乃至３５重量％の湿分に調整したものを使用し、注水量を６０キログラム／時間とした以外は、実施例１と同じ装置、条件で輸送テストを実施した。結果を表１に示す。
【００２９】
［比較例２］
注水を行わなかったこと以外は、実施例２と同じ装置、条件で輸送テストを実施した。結果を表１に示す。
この結果、実施例２に圧力損失は、比較例２のそれの約２割となり、長距離の輸送が可能であることが確認できた。
【００３０】
［実施例３］
実施例１および２の知見を基に、図４に示すフローにて都市ごみ焼却灰の埋立灰をセメント工場に受入れて処理できるか否かを確認した。埋立灰は、埋立て処分場で異物を除去及び篩い装置でサイズが４０ミリメートル以下に篩われたものを使用した。埋立灰の含有水分は３０重量％であった。埋立灰は、セメント工場にダンプトラックにて搬入され、受入れタンク２２に受入れられた。埋立灰は、計量式供給器で抜出し量を調整して、掻き出し装置２５を設置している受入れタンク２２から抜き出された。
【００３１】
次に、埋立灰は１軸の抜出しスクリュフィーダ２３及び２軸のオーガフィーダ２４を経て圧送ピストンポンプ３に押込まれた。
【００３２】
圧送ピストンポンプ３は、図１で示されるものを使用した。シリンダ内径がφ３５０ミリメートル、吐出圧力が４．０メガパスカル（ＭＰａ）、ストロークが７００ミリメートルのものを使用した。である。圧送ピストンポンプ３の出口には、輸送配管７から埋立灰を逆流しないようにゲート４が設置されている。
【００３３】
埋立灰の輸送は、以下のようなサイクルを繰り返して行われた。まず、ゲート４がゲート駆動器４ａにより全閉になったら、ピストンロッド３ａがピストン駆動器３ｂの側に引かれ、圧送ピストンポンプ３のピストンシリンダ３ｃの中に、オーガフィーダ２３から埋立灰が充填される。次に、ゲート４を全開させてピストンロッド３ａをピストンシリンダ３ｃに押込むことによって、輸送配管７内に埋立灰が押し込められる。そして、ゲート４を全閉にして次の埋立灰の吸引を行う準備をする。
【００３４】
ゲート４に接続された輸送配管７は、内径がφ３５０ミリメートルの鋼管であって、ゲート４との接続面から２メートルの位置に注水器６を設置した。注水器６は、図５に示すように、注水ノズル２８の個数は管の周囲に等間隔で４個取り付けられている。
【００３５】
注水器６は、内径がφ３５０ミリメートルであって、輸送配管７の途中にフランジ２７で両端を接続されている。注水器６には、周囲を注水管２９で均圧された水５が流れて、口径がφ９．４ミリメートルの空洞直管形状の注水ノズル２８から輸送配管７へ直角方向の内部に注入された。注水管６の材質はステンレス管を本実施例では使用したが、一部の曲がり部については、耐圧ホースを使用した。注水量は、６０キログラム／時間であった。
【００３６】
埋立灰を窯尻部９へ投入するまでの水平換算距離は、圧送ピストンポンプ３から１７４メートルであった。輸送配管７の距離が９０メートルの位置から内径がφ２５０ミリメートルの鋼管になっている。内径φ３５０ミリメートルと内径φ２５０ミリメートルの鋼管の接続については、長さが３メートルの徐々に口径を変化させる形状のテーパー管で接続している。２番目の注水器は該テーパー管の端面から２メートルの下流位置に設置した。２番目の注水器の形態および注水量は、最初のそれと同じとした。
【００３７】
輸送配管７から輸送された埋立灰は、窯尻部９からセメントキルン８の軸中心方向に向けて、かつ水平から下向き角度４５度で投入された。投入部分の形状は、内径がφ２５０ミリメートルのステンレス製の円筒管１６である。該円筒管１６の先端には、コンプレッサからの圧縮空気ノズル２６が、円筒管１６の軸方向斜めに３箇所設けられており、円筒管１６の閉塞防止と、窯尻部９の内部への埋立灰の投入を分散化させ、窯尻部９での熱交換を効率的に行うことができた。
【００３８】
本実施例では、セメントキルンにおいて、埋立灰を、２．０トン／時間で輸送して処理することができた。また、発塵等がなく、安全でかつ高温処理により無害化でき、製品の品質問題や環境問題などを一切起こさないことが確認できた。この結果、埋立灰をセメント工場に受入れて処理できることを確認した。
【産業上の利用可能性】
【００３９】
本発明は、水分を含んだ粉体を配管で輸送するに際して、輸送を適用する分野に利用が可能である。
【図面の簡単な説明】
【００４０】
【図１】本発明における圧送ピストンポンプによる輸送方法の概略図を示す。
【図２】本発明のセメント製造装置における全体的な概略図を示す。
【図３】左図は、本発明の輸送配管内で注水部分の管内状態を示す断面図である。また、右図は従来の輸送方法の管内の状態を示す断面図である。
【図４】本発明の埋立灰を受入れてセメント製造装置で処理する概略図を示す。
【図５】本発明の実施例で使用する注水器の概略図を示す。
【符号の説明】
【００４１】
１    埋立灰
２    ホッパー
３    圧送ピストンポンプ
３ａ  ピストンロッド
３ｂ  ピストン駆動器
３ｃ  ピストンシリンダ
４    ゲート
４ａ  ゲート駆動器
５    水
６    注水器
７    輸送配管
８    セメントキルン
９    窯尻部
１０  プレヒーター
１１  セメント原料投入口
１２  最下段サイクロン
１３  セメントクリンカ
１４  仮焼炉バーナー
１５  キルンバーナー
１６  円筒管
１７  排気ファン
１８  ライジングダクト
１９  仮焼炉
２０  水膜
２１  輸送管内の埋立灰
２２  受入れタンク
２３  抜出しスクリュフィーダ
２４  オーガフィーダ
２５  掻き出し装置
２６  圧縮空気ノズル
２７  フランジ
２８  注水ノズル
２９  注水管
【図１】
0005082931.tif 000003
【図２】
0005082931.tif 000004
【図３】
0005082931.tif 000005
【図４】
0005082931.tif 000006
【図５】
0005082931.tif 000007